(57)【特許請求の範囲】
【請求項１】
枠体内に仕切板を設けて前記枠体平面内を複数列に区分し、前記仕切板間に透明部材で形成した複数個のボタンを上下動自在に連続的に配設し、該ボタンの上下動により押圧されるスイッチ機構部から成るディスプレイ用スイッチにおいて、前記ボタンの側面に突出した鍔部と該鍔部に凸部を有する脚部を対向して垂設するとともにバネ収納部を隣設して復帰用バネを収納し、しかも前記仕切板を樹脂形成部からなるサポート部と、該サポート部の断面の少なくとも３辺を支える弾性を有する金属製の薄板から成る断面略Ｕ字状の取付金具とにより構成し、前記サポート部にアンダカット部を設け、該アンダカット部に前記ボタン脚部の凸部を掛止して成ることを特徴とするディスプレイ用スイッチ。
【発明の詳細な説明】
【０００１】
【発明の属する技術分野】
本発明は、電気的に表示を変更可能とする表示装置の上面に、上下動可能に透明ボタンを配設したディスプレイ用スイッチに関し、その量産性の向上と軽量化を図り、広い表示面を得ることを目的としたボタンの支持構造に関する。
【０００２】
【従来の技術】
従来、枠体に透明なボタンを上下動自在にマトリックス的に配置してＣＲＴやＬＣＤの表示装置の上面に載置して使用するディスプレイ用スイッチにあっては、ボタンを支える仕切板の強度を確保したりスイッチ切換機構をボタンの周囲に配設しているため、図１１に示すようにボタン周囲のフレームが幅広く確保されている。
【０００３】
【発明が解決しようとする課題】
従来の一体化された仕切板により構成されたディスプレイ用スイッチにおいては、図１１に示すように、フレームが幅広く確保されているため、ディスプレイに表示する文字や絵柄が各ボタン単体での表示範囲に限定され、縦横に大きな連続した表示を行うことが不可能であった。
また、仕切板の実用強度を確保するために金属が使用されているため、重量が大きく、また、加工に伴って発生する反りが発生するため、後工程で補正する必要もあった。
本発明は、上記課題を解決し、適度なストロークにより確実な操作感触が得られるディスプレイ用スイッチの量産性の向上と軽量化を実現するものである。
【０００４】
【課題を解決するための手段】
本発明は上記の問題点を解決するために、枠体内に仕切板を設けて枠体平面内を複数列に区分し、前記仕切板間に透明部材で形成した複数個のボタンを上下動自在に連続的に配設し、該ボタンの上下動により押圧されるスイッチ機構部から成るディスプレイ用スイッチにおいて、ボタンの側面に鍔部を突出し、該鍔部に凸部を有する脚部を対向して垂設するとともにバネ収納部を隣設して復帰用バネを収納し、しかも前記仕切板を樹脂形成部からなるサポート部と、該サポート部の断面の少なくとも３辺を支える弾性を有する金属製の薄板から成る断面略Ｕ字状の取付金具とにより構成し、前記サポート部にアンダカット部を設け、該アンダカット部に前記ボタン脚部の凸部を掛止するよう構成したものである。
【０００５】
【発明の実施の形態】
本発明は、ディスプレイ用スイッチのボタンを支える仕切板の構造を樹脂形成部のサポート部と、該サポート部の断面の少なくとも３辺を支える弾性を有する金属製の薄板から成る断面略Ｕ字状の取付金具とにより構成しているので、複合化によって部品の反りや歪みが発生し難く、合わせてスイッチの軽量化を図ることができる。また、仕切板を細くすることが可能になるため、大きな表示に対しても仕切板の違和感がなく、鮮明な表示が行えるという効果があり、加えて、防塵化や防水構造とするこにより、ディスプレイ用スイッチの普及に貢献することができる。
【０００６】
【実施例】
以下、本実施例について図面を参照しながら説明する。
図１は本発明のディスプレイ用スイッチの断面図、図２及び図３は本発明のディスプレイ用スイッチの要部断面図、図４は本発明のディスプレイ用スイッチの分解斜視図、図５は本発明のディスプレイ用スイッチのサポート部と取付金具の外観斜視図、図６は前記サポート部と取付金具の組合せ状態を表わす外観斜視図、図７は本発明のディスプレイ用スイッチのボタンの底面図、そして図８及び図９は本発明のディスプレイ用スイッチの要部分解斜視図である。
【０００７】
図４において、３は枠体であり、上面に対向して欠所Ａ３ａと欠所Ｂ３ｂが複数対形成される。また、この欠所間に欠所Ｃ３ｃと欠所Ｄ３ｄが複数対形成されて受光素子８と発光素子６が対向して配設され、その直角方向の対向する上面にも同様に、欠所Ｅ３ｅ、欠所Ｆ３ｆが形成されて発光素子６と受光素子８が配設される。また、この枠体３には、後述するベース７にねじ取付するための孔３ｇと後述するプリント基板２に搭載したキーコントロール用ＩＣチップ等の制御用部品（図示せず）を避けるための角穴３ｈが複数形成されている。
【０００８】
図５において、サポート部５は、両端をＴ形部５ｆに形成して繊維強化樹脂等により一体的に成形され、光路となる欠所５ｃを構成する小さなブロック体と、両側に後述のボタン４を掛止するアンダカット部５ａと長手直行方向に対向する凸部５ｂを１対有する小ブロック体を薄い梁部５ｄが交互に連結している。また、取付金具１１は、弾性を有する金属製の薄板から成り、断面を略Ｕ字状に折り曲げてサポート部５の欠所５ｃに対向する角窓１１ｃとサポート部５の凸部５ｂに凹凸掛止する角窓１１ｂを有している。
【０００９】
図６は前記サポート部５と取付金具１１を組み合せて仕切板１４を構成した図である。このように仕切板１４を樹脂形成部から成るサポート部５と該サポート部５の断面の少なくとも３辺を支える断面略Ｕ字状の取付金具１１とにより構成したので、各部品の反りや歪みを相互に補正し合い、曲りの無い仕切板１４を構成することができる。また、複合された仕切板１４の強度が向上するので仕切板１４自体を細くすることが可能となり、大きな表示に対しても仕切板１４の違和感がなく、鮮明な表示が行えるという効果を生む。更に、スイッチの軽量化が図られるとともに部品の加工が容易になるので、量産性の向上とコスト削減も図ることができる。
【００１０】
この仕切板１４は枠体３の下方、または枠体３を挟んでサポート部５と取付金具１１を掛止することにより、枠体３の欠所Ａ３ａと欠所Ｂ３ｂにサポート部５の両端Ｔ形部５ｆを凹凸係合して枠体内を複数列に区分する。サポート部５は後述のプリント基板２を枠体３に固定することによって抜け防止がなされる。
【００１１】
図１、図２及び図４において、２はプリント基板であり、枠体３と略同等の大きな角窓２ａが設けられている。そして、この角窓２ａの直角をなす２辺には複数の受光素子８の端子がはんだ付けされ、もう一方の直角をなす２辺には同様に複数の発光素子６が同様にはんだ付けされ、受光素子８と発光素子６が対向し、マトリックス状の光路が形成される。
【００１２】
そして枠体３の上面にプリント基板２を固定した後、スイッチ筐体を構成するベース７に組み付けられるが、このベース７には角窓７ａが大きく開いていて、ベース７の下方からＬＣＤユニット１２がＬＣＤ表示面１２ａを前記角窓７ａに向けて取付られている。また、枠体３とＬＣＤユニット１２間には透明プレート９が配設されている。更に、プリント基板２に配設された受光素子８と発光素子６は、枠体３の欠所３ｃから３ｆ内に収められ、光軸の矯正がなされている。
【００１３】
図７及び図８において、４は透明部材で形成されたボタンである。このボタン４の４側面には、微細な凹凸部を設けて光を拡散させることにより、光路を遮断する遮光部４ｅ、４ｆを設けている。尚、この遮光部４ｅ、４ｆは、黒色の着色部を２色成形や塗装により形成することもでき、更には別部品を嵌合させる等、種々の対応が考えられる。
【００１４】
そして、前記ボタンには側面に突出した鍔部４ｇと該鍔部４ｇに長手方向に平行して同一辺同志が対向する凸部４ｂを有する脚部４ａを垂設し、さらに、バネ収納部４ｃを前記脚部４ａに隣設して復帰用コイルバネ１０を収納した後、サポート部５に設けたアンダカット部５ａとボタン４の凸部４ｂを掛止して上下動自在に配設される。尚、取付金具１１に設けられた凸部１１ａはコイルバネ１０の座りを良くするためのものであり、またボタン４とコイルバネ１０の組付け方法は一例に過ぎない。
図９はこうして複数の仕切板にボタン４が組付けられた様子を示している。
【００１５】
そして、角窓１ａを有した化粧板１が角窓１ａ内に全てのボタン４を整列した状態でベース７に凹凸嵌合して固定し、本発明のディスプレイ用スイッチが完成される（図１０）。
なお、１３はインターフェース用のケーブルであり、プリント基板２からベース７を抜けて外部に導出されている。
本発明の実施例では仕切板１４が等間隔に区分しているが、用途に応じて区切ることにより、基本的な大きさの倍数のボタンを配設することができる。
【００１６】
このように構成したディスプレイ用スイッチは、透明なボタン４を透してＬＣＤ表示面１２ａを見通すことができるが、ＬＣＤ表示面１２ａの上方には極細の仕切板以外遮蔽するものがないため、デッドスペースが少なく有効表示面積の広いディスプレイ用スイッチを構成することができる。
また、隣接するボタン４の間には仕切板１４、５０が表出しない（図１０）ので、すっきりとしたデザインとなり、ディスプレイの表示面積を広く見せる効果を生むことができる。
また、スイッチ機能については、ボタン４を押圧すると、ボタン４の下面が光路を遮断して、別途プリント基板２の裏面に設けた位置検出回路（図示せず）によってボタン４の押圧位置を検出することができる。そして、このボタン４の押圧を解除すると、コイルバネ１０によりボタン４が元の状態に復帰するように作用するが、１個のボタン４の４箇所に夫々コイルバネ１０が収納されているので、４点支持による安定した操作性を有することができる。さらに、仕切板１４を樹脂形成部からなるサポート部５と、断面略Ｕ字状の取付金具１１とにより構成したので、ボタン４の上下動の案内が金属板の圧延面にて行われるため、摩擦が軽減され、滑らかでソフトな操作感を得ることができる。
【００１７】
図１０における防水シートはポリウレタンシートなど透明で可撓性を有するフィルムであり、周囲に化粧板１に貼付するための粘着層を有している（図示せず）。塵埃が多量に発生する環境においては予め化粧板１に貼付するだけで塵埃の侵入を防止することができ、さらにベース７と化粧板１間等にパッキンを設けることで、防水性を有することができる。
【００１８】
【発明の効果】
以上、詳細に説明したように、本発明によれば、次のような効果を奏することができる。
（１）仕切板を樹脂形成部からなるサポート部と、該サポート部の断面の少なくとも３辺を支える断面略Ｕ字状の取付金具とにより構成したので、部品の反りや歪みを補正して曲りの無い仕切板を構成することができる。
（２）仕切板を樹脂形成部からなるサポート部と、該サポート部の断面の少なくとも３辺を支える断面略Ｕ字状の取付金具とにより構成したので、部品の加工が極めて容易になり、安い価格のディスプレイ用スイッチを提供することができる。
（３）仕切板を樹脂形成部からなるサポート部と、該サポート部の断面の少なくとも３辺を支える断面略Ｕ字状の取付金具とにより構成したので、仕切板を細くすることが可能となり、スイッチの軽量化を図るとともに大きな表示に対しても仕切板の違和感がなく、鮮明な表示が行えるという効果を生むことができる。
（４）仕切板を樹脂形成部からなるサポート部と、断面略Ｕ字状の取付金具とにより構成したので、ボタンの上下動の案内が金属板の圧延面にて行われるため、摩擦が軽減され、滑らかでソフトな操作感を得ることができる。
（５）ボタンの上方に化粧板を配設するとともに該化粧板に透明な可撓性フィルムを配設したので、塵埃が多量に発生する環境や防水性能を有するディスプレイ用スイッチを提供することが可能となった。
【図面の簡単な説明】
【図１】  本発明のディスプレイ用スイッチの断面図である。
【図２】  本発明のディスプレイ用スイッチの要部断面図である。
【図３】  本発明のディスプレイ用スイッチの要部断面図である。
【図４】  本発明のディスプレイ用スイッチの分解斜視図である。
【図５】  本発明のディスプレイ用スイッチのサポート部と取付金具の外観斜視図である。
【図６】  本発明のディスプレイ用スイッチのサポート部と取付金具の組合せ状態を表わす外観斜視図である。
【図７】  本発明のディスプレイ用スイッチのボタン底面図である。
【図８】  本発明のディスプレイ用スイッチの要部分解斜視図である。
【図９】  本発明のディスプレイ用スイッチの要部分解斜視図である。
【図１０】  本発明のディスプレイ用スイッチの完成外観図である。
【図１１】  従来のディスプレイ用スイッチの正面図である。
【符号の説明】
１    化粧板
１ａ、２ａ    角窓
２    プリント基板
３    枠体
３ａ、３ｂ、３ｃ、３ｄ、３ｅ、３ｆ、５ｃ    欠所
３ｇ    孔
３ｈ    角穴
４    ボタン
４ａ    脚部
５ａ    アンダカット部
４ｃ    バネ収納部
４ｅ、４ｆ    遮光部
４ｇ    鍔部
４ｂ、４ｄ、５ｂ、１１ａ    凸部
５    サポート部
５ｄ    梁部
５ｆ    Ｔ形部
６    発光素子
７    ベース
７ａ、１１ｂ、１１ｃ    角窓
８    受光素子
９    透明プレート
１０    コイルバネ
１１    取付金具
１２    ＬＣＤユニット
１２ａ    ＬＣＤ表示面
１３    ケーブル
１４    仕切板
【図１】
0004132248.tif 000002
【図２】
0004132248.tif 000003
【図３】
0004132248.tif 000004
【図４】
0004132248.tif 000005
【図５】
0004132248.tif 000006
【図６】
0004132248.tif 000007
【図７】
0004132248.tif 000008
【図８】
0004132248.tif 000009
【図９】
0004132248.tif 000010
【図１０】
0004132248.tif 000011
【図１１】
0004132248.tif 000012